(57)【特許請求の範囲】
【請求項１】
主幹から延長や分岐された主枝を、直線状であって地面に対して一定の高さで平行に伸びるように生長させ、長手方向に間隔をおいた前記主枝の複数の部位から両脇へそれぞれ側枝を短く伸ばし、該側枝に生じた新梢にぶどうの房が着果するように栽培するぶどうの短梢栽培に用いるため、ぶどうの枝を固定して支持するように設けられたぶどう棚と、
前記ぶどうの房について雨除けや日除けができるように上方から覆うと共に、太陽光による発電ができるように、前記主枝の上側に該主枝に沿って長手方向へ延びる直列の帯状に設置された複数のソーラーパネルから構成される帯状発電パネル列とを具備するぶどうの短梢栽培用施設を兼ねる太陽光発電施設。
【請求項２】
前記ぶどう棚が、前記ソーラーパネルを設置するための支持枠体を兼ねるように設けられていることを特徴とする請求項１記載のぶどうの短梢栽培用施設を兼ねる太陽光発電施設。
【請求項３】
前記ソーラーパネルの傾斜角度を調整することができる角度調節機構部を備えることを特徴とする請求項１又は２記載のぶどうの短梢栽培用施設を兼ねる太陽光発電施設。
【請求項４】
複数列の前記主枝が所要の間隔をおいて平行に育成され、該複数列の前記主枝に対応して前記帯状発電パネル列も所要の間隔をおいて複数列に設置されていることを特徴とする請求項１〜３のいずれかに記載のぶどうの短梢栽培用施設を兼ねる太陽光発電施設。
【請求項５】
前記主枝が一本のぶどうの木から２列に育成されるように、該主枝が前記主幹から延長や分岐されてＵ字状やＨ字状の樹形に伸ばされて生長されていることを特徴とする請求項１〜４のいずれかに記載のぶどうの短梢栽培用施設を兼ねる太陽光発電施設。
【発明の詳細な説明】
【技術分野】
【０００１】
この発明は、ぶどうの短梢栽培用施設を兼ねる太陽光発電施設に関する。
【背景技術】
【０００２】
太陽光を利用した発電は、今最も注目を集めている発電方法の一つである。その発電に用いるソーラーパネルが電気を生み出すには当然のごとく日照が必要である。
一方、ぶどうの栽培にも日照が必要である。ぶどうの葉によって光合成が行われてぶどうの木は成長するが、ぶどうの房に日光を当てることもぶどうの色付きのために必要である。しかしながら、雨や雹などはぶどうの房に害をもたらす。最近では皮ごと食べられる種無しぶどうが人気である。降雨は、種無しぶどうにするためのジベレリン処理を無駄にしてしまう。さらに、薬剤の雨による溶脱がぶどうの皮にサビをもたらし、見た目も悪くしてしまう。
【０００３】
上記のような露地栽培における害を防ぐため、ぶどう棚の上にビニール等の透明材料の屋根をトンネル状に設けることが提案されている。例えば、所定の間隔をおいて植えた栽培列中の各ぶどう樹の主枝を略一定の高さで地面と平行の方向にのびるように生長させ、該主枝からその長手方向に沿って生じる側枝の各々の長さを、該側枝に生じた結果母枝の芽の数が２個または１個になるよう毎年剪定して短く保ち、結果母枝から生じた新梢（結果枝）を下向きに垂らした状態で果実を実らせるぶどうの栽培方法において、地面と平行にのびた主枝の上方を透明材料の屋根でトンネル状に覆うことを特徴とするぶどうの栽培方法、および該方法の使用に適するぶどう栽培用棚（特許文献１第１頁、要約参照）が提案されている。
【０００４】
また、露地栽培の場合、雨や雹だけでなく、過度な日照がぶどうの栽培に害をもたらすことがある。例えば、夏場の強過ぎる日光や高温は、ぶどうの成長（光合成）を抑制し、日焼けや縮果病を発生させてしまう。さらに、夏季の降雨後の晴天で、水分を十分に吸ったぶどうの実が、太陽光によって急激に熱せられることで膨張して割れること（裂果）がある。このような害を防ぐためには。ぶどうの房に日除けが必要であった。
【先行技術文献】
【特許文献】
【０００５】
【特許文献１】特開２００５−１６０３０９号公報（第１頁、要約）
【発明の概要】
【発明が解決しようとする課題】
【０００６】
ぶどうの短梢栽培施設に関して解決しようとする問題点は、雨除けや日除けを行う施設は、ぶどうの生育期にのみ必要なものであるにもかかわらず、設置する費用が高額になってしまい、普及していないことにある。一方、太陽光発電施設に関して解決しようとする問題点は、適切な設置場所の確保ができないことにある。
本発明は、上記のような事情に鑑みてなされたものであり、ぶどうの房について雨除けや日除けができる共に、太陽光による発電ができるように、ぶどうの短梢栽培用施設を兼ねる太陽光発電施設を提供することを目的とする。
【課題を解決するための手段】
【０００７】
本発明に係るぶどうの短梢栽培用施設を兼ねる太陽光発電施設の一形態によれば、主幹から延長や分岐された主枝を、直線状であって地面に対して一定の高さで平行に伸びるように生長させ、長手方向に間隔をおいた前記主枝の複数の部位から両脇へそれぞれ側枝を短く伸ばし、該側枝に生じた新梢にぶどうの房が着果するように栽培するぶどうの短梢栽培に用いるため、ぶどうの枝を固定して支持するように設けられたぶどう棚と、前記ぶどうの房について雨除けや日除けができるように上方から覆うと共に、太陽光による発電ができるように、前記主枝の上側に該主枝に沿って長手方向へ延びる直列の帯状に設置された複数のソーラーパネルから構成される帯状発電パネル列とを具備することを特徴とする。
【０００８】
また、本発明に係るぶどうの短梢栽培用施設を兼ねる太陽光発電施設の一形態によれば、前記ぶどう棚が、前記ソーラーパネルを設置するための支持枠体を兼ねるように設けられていることを特徴とすることができる。
【０００９】
また、本発明に係るぶどうの短梢栽培用施設を兼ねる太陽光発電施設の一形態によれば、前記ソーラーパネルの傾斜角度を調整することができる角度調節機構部を備えることを特徴とすることができる。
【００１０】
また、本発明に係るぶどうの短梢栽培用施設を兼ねる太陽光発電施設の一形態によれば、複数列の前記主枝が所要の間隔をおいて平行に育成され、該複数列の前記主枝に対応して前記帯状発電パネル列も所要の間隔をおいて複数列に設置されていることを特徴とすることができる。
【００１１】
また、本発明に係るぶどうの短梢栽培用施設を兼ねる太陽光発電施設の一形態によれば、前記主枝が一本のぶどうの木から２列に育成されるように、該主枝が前記主幹から延長や分岐されてＵ字状やＨ字状の樹形に伸ばされて生長されていることを特徴とすることができる。
【発明の効果】
【００１２】
本発明に係るぶどうの短梢栽培用施設を兼ねる太陽光発電施設によれば、ぶどうの房について雨除けや日除けができると共に、太陽光による発電ができることで、圃場及びその施設の有効活用ができるという特別有利な効果を奏する。
【図面の簡単な説明】
【００１３】
【図１】ぶどうの短梢栽培用施設の形態例を示す斜視図である。
【図２】本発明に係るぶどうの短梢栽培用施設を兼ねる太陽光発電施設の形態例を示す斜視図である。
【図３】本発明に係るぶどうの短梢栽培用施設を兼ねる太陽光発電施設の他の形態例を示す側面図である。
【図４】本発明に係るぶどうの短梢栽培用施設を兼ねる太陽光発電施設の他の形態例を示す斜視図である。
【発明を実施するための形態】
【００１４】
以下、本発明に係るぶどうの短梢栽培用施設を兼ねる太陽光発電施設の形態例を添付図面（図１乃至図４）に基づいて詳細に説明する。
ぶどうの短梢栽培用施設を兼ねる太陽光発電施設は、ぶどう棚１と帯状発電パネル列２０を備えるものである。なお、図１は、短梢栽培が行われるぶどう棚１のみの例を示す。
【００１５】
ぶどう棚１は、主幹１０から延長や分岐された主枝１１を、直線状であって地面５０に対して一定の高さで平行に伸びるように生長させ、長手方向に間隔をおいた主枝１１の複数の部位から両脇へそれぞれ側枝１２を短く伸ばし、側枝１２に生じた新梢にぶどうの房１３が着果するように栽培するぶどうの短梢栽培に用いるため、ぶどうの枝を固定して支持するように設けられている。主枝１１は、一本のぶどうの木から２列に育成されるように、主枝１１が主幹１０から延長や分岐されてＵ字状やＨ字状の樹形に伸ばされて生長されることが多い。図１は、主枝１１がＨ字状の形状に伸ばされている例である。なお、主枝１１が主幹１０からＴ字状に分岐されて１列に伸ばす方法もある。
【００１６】
ぶどうの木は、従来、頭上に主枝１１を広げて成長させる棚栽培によることが多かった。一方、本発明に関する短梢栽培によれば、ぶどうの木の主枝１１を真っ直ぐに例えば東西に伸ばして生長させている。このため、整枝・せん定が簡単である。また、ぶどうの房１３はそれぞれの側枝１２において一つ着果させるため、新梢管理、着果調節等が容易である。なお、この主枝１１の両側に位置する２つのぶどうの房１３間の距離は、４０ｃｍ程度に保たれている。ところで、主枝１１を伸ばす方向は特に限定されないが、東西に伸ばすことで、ソーラーパネル２１を適切に配置できる。但し、厳密に東西である必要はなく、設置場所の条件に適宜に対応させて配置すればよい。
【００１７】
ぶどう棚１は、東西に伸ばした主枝１１に沿って主枝１１を保持固定する横長の棒状体２とその棒状体２を支える地面５０から立設された支持部材３と、側枝１２を保持固定する、棒状体２に直交する枠状部材４とによって構成することができる。このぶどう棚１を構成する材料には特に限定されない。針金や金属製のパイプ或いはロープを用いることもできる。さらに、その材料は木材でもよく、耐久性の高いカラマツ材を支持部材３に用いてもよい。
【００１８】
帯状発電パネル列２０は、ぶどうの房１３について雨除けや日除けができるように上方から覆うと共に、太陽光による発電ができるように、主枝１１の上側にその主枝１１に沿って長手方向へ延びる直列の帯状に設置された複数のソーラーパネル２１から構成される。
本形態例のソーラーパネル２１は、図２に示すように矩形状であって、幅が８０〜９０ｃｍ、長さが１６０〜１８０ｃｍ程度の一般的に市販されているものである。この一般的な形状のソーラーパネル２１の幅は、短梢栽培における主枝１１の外側に着果するぶどうの房１３間の距離より十分に長い。したがって、このソーラーパネル２１は、ぶどうの雨除けや日除けに適切である。そして、ソーラーパネル２１は、東西に延びたぶどうの主枝１１に沿って長手方向へ並べることができるので発電に最適となる。なお、ソーラーパネル２１の大きさは、特に長さは限定されないが、一般的なサイズのものを使用することで、コストを低減できる。ソーラーパネル２１は、完全に日照を遮るものの他、ある程度の量の光を通過させることのできる例えばフィルム状の太陽電池を用いたものでもよい。
【００１９】
ソーラーパネル２１は、図２に示すように、支持枠体５によって支持され太陽の軌跡に向けて南向きに傾斜させた状態で保持される。この場合、図３および図４に示すように、ぶどう棚１が、ソーラーパネル２１を設置するための支持枠体を兼ねるように設けることもできる。これによりぶどう棚１とソーラーパネル２１の支持枠体の材料の節約やスペースの節約となり、またソーラーパネル２１を堅牢に保持することができる。
【００２０】
ソーラーパネル２１の支持枠体５若しくは支持枠体５を兼用するぶどう棚１には、ソーラーパネル２１の傾斜角度を調整することができる角度調節機構部７を備えることができる。
これによれば、降雨や降雹の場合にはソーラーパネル２１を水平に保ち、出来るだけぶどうの房１３に雨などがあたらないようにすることができる。また、日差しＳが強い夏場には日差しＳを最も効果的に遮る角度にソーラーパネル２１を傾斜させることができる。一方、冬場には、太陽の軌跡に対応してソーラーパネル２１の傾斜角度を大きくして日差しＳがソーラーパネルに広く当たるようにして発電効果を上げることができる。これにより、ぶどうの圃場の広さを活用した太陽光発電が可能となる。なお、地面５０に反射シートを置くことで、太陽光を適度に遮りつつ、光をぶどうの房１３に当てることも可能である。
【００２１】
角度調整機構部７は、その角度を、モータを内蔵して自在に調整することができる。角度調整は、リモートコントロールにしたり、コンピュータによって最適な角度に自動的に調整したりすることも可能である。ソーラーパネル２１は、ぶどうの房１３の位置より５０ｃｍ程度上に位置させることができる。このため手動で調整する場合でも角度調整は困難な作業とはならない。
さらに、角度調整機構部７によるソーラーパネル２１の角度を自動的に調整する場合は、降雨センサー、温湿度センサー、日照センサーや紫外線センサーなどの気象状況を感知するセンサーを設置し、そのセンサーによって検出された情報に基づいて制御情報を出力する制御装置を介して角度調整を行うようにしてもよい。この角度調整の制御には、前述のセンサーによる情報や、インターネットなどの外部から取得できる気象情報を入力し、降雨や気温の変化などの気象現象を予測する機能を有するコンピュータソフトなどを用い、ソーラーパネル２１の角度を調整するようにしてもよい。
【００２２】
角度調整機構部７は、一定の角度毎に間欠的にソーラーパネル２１を固定することもできる。これによれば、ソーラーパネル２１を強固に固定して強風や降雪に耐えるようにすることも可能となる。間欠的な固定手段の例としては、ソーラーパネル２１に連結材を連結し、支持枠体５に複数設けた溝や孔とボルトで固定することがある。
【００２３】
複数列の主枝１１が所要の間隔をおいて平行に育成され、複数列の主枝１１に対応して帯状発電パネル列２０も所要の間隔をおいて複数列に設置させることができる。これにより通常のソーラーパネル２１の設置方法と同様に、主枝１１に対応するソーラーパネル２１が他の主枝１１に対応するソーラーパネル２１に対して影を作らないように設置できる。このため発電効果を上げることができる。主枝１１をＨ字状又はＵ字状に伸ばす場合にも、同様である。なお、具体的なサイズとしては、例えば、平行に栽培される主枝１１の間隔を２４０ｍｍとし、支持枠体５の巾を例えば８０〜９０ｍｍとすることができる。これによれば、農薬散布用自動車を走行できるなど、作業性を向上できる。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２５】
１  ぶどう棚
２  棒状体
３  支持部材
４  枠状部材
５  支持枠体
７  角度調整機構部
１０  主幹
１１  主枝
１２  側枝
１３  ぶどうの房
２０  帯状発電パネル列
２１  ソーラーパネル
５０  地面
Ｓ  日差し
【図１】
0005898563.tif 000002
【図２】
0005898563.tif 000003
【図３】
0005898563.tif 000004
【図４】
0005898563.tif 000005